(57)【要約】  小型化および分析時間の短縮が可能で、且つ高精度で糖化ヘモグロビンの分析が可能なキャピラリー電気泳動チップを提供する。  上基板４と、下基板１と、第１の導入槽２ａと、第１の回収槽２ｂと、試料分析用のキャピラリー流路３ｘとを含み、前記下基板１上に、前記第１の導入槽２ａと前記第１の回収槽２ｂとが形成され、前記第１の導入槽２ａと前記第１の回収槽２ｂとが、前記試料分析用のキャピラリー流路３ｘで連通されている。
2008139866.tif 000002
【特許請求の範囲】
【請求項１】
糖化ヘモグロビン分析用の電気泳動チップであって、
基板と、複数の液槽と、キャピラリー流路とを含み、
前記複数の液槽は、第１の導入槽と第１の回収槽とを含み、
前記キャピラリー流路は、試料分析用のキャピラリー流路を含み、
前記基板上に、前記第１の導入槽と前記第１の回収槽とが形成され、
前記第１の導入槽と前記第１の回収槽とが、前記試料分析用のキャピラリー流路で連通されていることを特徴とする電気泳動チップ。
【請求項２】
前記複数の液槽が、さらに、第２の導入槽と第２の回収槽とを含み、
前記キャピラリー流路が、さらに、試料導入用のキャピラリー流路を含み、
前記基板上に、前記第２の導入槽と第２の回収槽とが形成され、
前記第２の導入槽と前記第２の回収槽とが、前記試料導入用のキャピラリー流路で連通されており、
前記試料導入用のキャピラリー流路と前記試料分析用のキャピラリー流路は、交差しており、
前記試料導入用のキャピラリー流路と前記試料分析用のキャピラリー流路とが、前記交差部分で連通されている請求の範囲１記載の電気泳動チップ。
【請求項３】
前記試料分析用のキャピラリー流路の一部から第１の分岐流路が分岐され、
前記第１の分岐流路は、前記第２の導入槽に連通され、
前記第１の分岐流路より下流側の前記試料分析用のキャピラリー流路の一部から第２の分岐流路が分岐され、
前記第２の分岐流路は、前記第２の回収槽に連通され、
前記第１の分岐流路と、前記第２の分岐流路と、それらを結ぶ前記試料分析用のキャピラリー流路の一部とで前記試料導入用のキャピラリー流路が形成されている請求の範囲２記載の電気泳動チップ。
【請求項４】
チップ全体の最大長さが、１０〜１００ｍｍの範囲であり、チップ全体の最大幅が、１０〜６０ｍｍの範囲であり、チップ全体の最大厚みが、０．３〜５ｍｍの範囲である請求の範囲１記載の電気泳動チップ。
【請求項５】
前記糖化ヘモグロビンの分析時において、前記複数の液槽の少なくとも一つの槽に、前記糖化ヘモグロビンを含む試料が電気泳動液で希釈された希釈試料が導入される電気泳動チップであって、前記試料：前記電気泳動液（体積比）が、１：４〜１：９９の範囲である請求の範囲１記載の電気泳動チップ。
【請求項６】
前記キャピラリー流路に電気泳動液が充填されている請求の範囲１記載の電気泳動チップ。
【請求項７】
前記キャピラリー流路において、その最大径が、１０〜２００μｍの範囲であり、その最大長さが、０．５〜１５ｃｍの範囲である請求の範囲１記載の電気泳動チップ。
【請求項８】
さらに、前記糖化ヘモグロビンを含む試料を溶血させ、且つ希釈するための前処理槽を含み、前記前処理槽と前記複数の液槽の少なくとも一つの槽とが連通されている請求の範囲１記載の電気泳動チップ。
【請求項９】
前記糖化ヘモグロビンが、ＨｂＡ１ｃである請求の範囲１記載の電気泳動チップ。
【請求項１０】
前記基板が、上基板と下基板とを含み、
前記上基板には、複数の貫通孔が形成されており、
前記下基板上には、溝が形成され、
前記下基板上に前記上基板が積層されており、
前記上基板に形成された複数の貫通孔の底部が、前記下基板で封止されることで形成される空間が前記複数の液槽となり、
前記下基板上に形成された溝の上部が、前記上基板で封止されることで形成される空間が前記キャピラリー流路となる請求の範囲１記載の電気泳動チップ。
【請求項１１】
前記基板上に、複数の凹部および溝が形成され、
前記基板表面が、前記複数の凹部に対応した位置に穴のあいたシール材でシールされ、
前記基板上に形成された複数の凹部が、前記複数の液槽となり、
前記基板上に形成された溝の上部が、前記シール材で封止されることで形成される空間が前記キャピラリー流路となる請求の範囲１記載の電気泳動チップ。
【請求項１２】
さらに、シール材を含み、
前記基板には、複数の貫通孔が形成されており、
前記基板の底面には、溝が形成され、
前記基板の底面が、前記シール材でシールされ、
前記基板に形成された複数の貫通孔の底部が、前記シール材で封止されることで形成される空間が前記複数の液槽となり、
前記基板の底面に形成された溝の下部が、前記シール材で封止されることで形成される空間が前記キャピラリー流路となる請求の範囲１記載の電気泳動チップ。
【請求項１３】
前記基板とは別の部材であるキャピラリー管で前記複数の液槽が連通され、前記キャピラリー管が前記キャピラリー流路となる請求の範囲１記載の電気泳動チップ。
【請求項１４】
前記複数の液槽の容積が、それぞれ、１〜１０００ｍｍ３の範囲である請求の範囲１記載の電気泳動チップ。
【請求項１５】
さらに、複数の電極を有し、
前記複数の電極は、それぞれ、その一端が前記複数の液槽内に位置するように配置されている請求の範囲１記載の電気泳動チップ。
【請求項１６】
電気泳動チップと分析部とを含む電気泳動装置であって、
前記電気泳動チップが、請求の範囲１記載の電気泳動チップである電気泳動装置。
【発明の詳細な説明】
【技術分野】
【０００１】
本発明は、電気泳動チップおよび電気泳動装置に関する。
【背景技術】
【０００２】
生体の状態を示す指標として、各種タンパク質の糖化率が分析されている。中でも、血球中のヘモグロビン（Ｈｂ）の糖化率、特にＨｂＡ１ｃは、生体内血糖値の過去の履歴を反映していることから、糖尿病の診断や治療などにおける重要な指標とされている。ＨｂＡ１ｃは、ＨｂＡ（α２β２）のβ鎖Ｎ末端のバリンが糖化したものである。【０００３】
ＨｂＡ１ｃは、例えば、免疫法、酵素法、高速液体クロマトグラフィー（ＨＰＬＣ）法、アフィニティ法等により分析されている。一般に、免疫法および酵素法は、多量の検体を処理し、分析する場合に用いられているが、合併症のリスクを判断するには精度が低い。一方、ＨＰＬＣ法は、処理能力では免疫法および酵素法に劣るが、合併症のリスク判断において有用である。しかし、ＨＰＬＣ法では、構造上、分析装置が非常に大型で高価である。また、アフィニティ法は、β鎖Ｎ末端が糖化したＨｂＡ１ｃ以外の糖化Ｈｂをも測定してしまう。【０００４】
さらに、キャピラリー電気泳動法を用いたＨｂＡ１ｃの分析が試みられている（非特許文献１参照）。しかしながら、この方法では、感度的に不利な内径２５μｍの溶融シリカキャピラリーを使用しており、ＨｂＡ１ｃの分析においても、約４分間の分析時間を要する。また、この方法では、大型の電気泳動装置を使用する必要がある。さらに、前述のいずれの従来法によるＰＯＣ（Ｐｏｉｎｔ  Ｏｆ  Ｃａｒｅ）検査においても、合併症のリスクを管理するほどの精度はなく、スクリーニング的な検査に留まっていた。これらの問題は、ＨｂＡ１ｃをはじめとする糖化ヘモグロビン全体の問題である。【０００５】
【非特許文献１】Ｃｌｉｎｉｃａｌ  Ｃｈｅｍｉｓｔｒｙ  ４３：４，６４４−６４８（１９９７）
【発明の開示】
【０００６】
そこで、本発明は、キャピラリー電気泳動法による糖化ヘモグロビンの分析において、装置の小型化および分析時間の短縮が可能で、且つ高精度な糖化ヘモグロビンの分析が可能な電気泳動チップを提供することを目的とする。
【０００７】
前記目的を達成するために、本発明の電気泳動チップは、糖化ヘモグロビン分析用の電気泳動チップであって、
基板と、複数の液槽と、キャピラリー流路とを含み、
前記複数の液槽は、第１の導入槽と第１の回収槽とを含み、
前記キャピラリー流路は、試料分析用のキャピラリー流路を含み、
前記基板上に、前記第１の導入槽と前記第１の回収槽とが形成され、
前記第１の導入槽と前記第１の回収槽とが、前記試料分析用のキャピラリー流路で連通されていることを特徴とする。
【０００８】
本発明の電気泳動装置は、電気泳動チップと分析部とを含む電気泳動装置であって、前記電気泳動チップが、前記本発明の電気泳動チップであることを特徴とする。
【０００９】
本発明の電気泳動チップは、第１の導入槽と第１の回収槽とが基板上に形成され、前記第１の導入槽と前記第１の回収槽とが、試料分析用のキャピラリー流路で連通されたチップである。このため、本発明によれば、キャピラリー電気泳動法による糖化ヘモグロビンの分析において、装置の小型化が可能であり、これに伴い、分析時間の短縮が可能である。さらに、本発明の電気泳動チップによれば、高精度で糖化ヘモグロビンを分析することが可能である。したがって、本発明の電気泳動チップによれば、例えば、ＰＯＣ検査での糖化ヘモグロビンの精密分析が可能となり、合併症のリスク管理も可能となる。
【図面の簡単な説明】
【００１０】
【図１】図１は、本発明の電気泳動チップの一例の構成を示す図である。
【図２】図２は、本発明の電気泳動チップの製造工程の一例を示す工程図である。
【図３】図３は、本発明の電気泳動チップの製造工程のその他の例を示す工程図である。
【図４】図４は、本発明の電気泳動チップのその他の例の構成を示す図である。
【図５】図５は、本発明の電気泳動装置の一例の構成を示す図である。
【図６】図６は、本発明の電気泳動装置のその他の例の構成を示す図である。
【図７】図７は、本発明の電気泳動チップのさらにその他の例の構成を示す図である。
【図８】図８は、本発明の電気泳動チップのさらにその他の例の構成を示す図である。
【図９】図９は、本発明の電気泳動チップのさらにその他の例の構成を示す図である。
【図１０】図１０は、本発明の電気泳動チップのさらにその他の例の構成を示す図である。
【図１１】図１１は、本発明の電気泳動装置のさらにその他の例の構成を示す図である。
【図１２】図１２は、本発明の電気泳動チップのさらにその他の例の構成を示す図である。
【図１３】図１３は、本発明の実施例における泳動距離と吸光度との関係を示すグラフである。
【発明を実施するための最良の形態】
【００１１】
本発明の電気泳動チップにおいて、前記複数の液槽が、さらに、第２の導入槽と第２の回収槽とを含み、
前記キャピラリー流路が、さらに、試料導入用のキャピラリー流路を含み、
前記基板上に、前記第２の導入槽と前記第２の回収槽とが形成され、
前記第２の導入槽と前記第２の回収槽とが、前記試料導入用のキャピラリー流路で連通されており、
前記試料分析用のキャピラリー流路と前記試料導入用のキャピラリー流路は、交差しており、
前記試料分析用のキャピラリー流路と前記試料導入用のキャピラリー流路とが、前記交差部分で連通されていてもよい。【００１２】
本発明の電気泳動チップにおいて、前記試料分析用のキャピラリー流路の一部から第１の分岐流路が分岐され、
前記第１の分岐流路は、前記第２の導入槽に連通され、
前記第１の分岐流路より下流側の前記試料分析用のキャピラリー流路の一部から第２の分岐流路が分岐され、
前記第２の分岐流路は、前記第２の回収槽に連通され、
前記第１の分岐流路と、前記第２の分岐流路と、それらを結ぶ前記試料分析用のキャピラリー流路の一部とで前記試料導入用のキャピラリー流路が形成されていてもよい。【００１３】
本発明の電気泳動チップにおいて、チップ全体の最大長さは、例えば、１０〜１００ｍｍの範囲であり、好ましくは、３０〜７０ｍｍの範囲であり、チップ全体の最大幅は、例えば、１０〜６０ｍｍの範囲であり、チップ全体の最大厚みは、例えば、０．３〜５ｍｍの範囲である。なお、前記チップ全体の最大長さとは、前記チップの長手方向の最長部の長さであり、前記チップ全体の最大幅とは、前記チップの前記長手方向とは垂直な方向（幅方向）の最長部の長さであり、前記チップ全体の最大厚みとは、前記チップの前記長手方向および前記幅方向の両方に垂直な方向（厚み方向）の最長部の長さである。【００１４】
本発明の電気泳動チップは、前記糖化ヘモグロビンの分析時において、前記複数の液槽の少なくとも一つの槽に、前記糖化ヘモグロビンを含む試料が電気泳動液で希釈された希釈試料が導入される電気泳動チップであって、前記試料：前記電気泳動液（体積比）が、１：４〜１：９９の範囲であることが好ましい。前記試料：前記電気泳動液（体積比）は、より好ましくは、１：９〜１：５９の範囲であり、さらに好ましくは、１：１９〜１：２９の範囲である。【００１５】
本発明の電気泳動チップにおいて、前記キャピラリー流路に電気泳動液が充填されていることが好ましい。【００１６】
本発明の電気泳動チップでは、前記キャピラリー流路において、その最大径は、例えば、１０〜２００μｍの範囲であり、好ましくは、２５〜１００μｍの範囲であり、その最大長さは、例えば、０．５〜１５ｃｍの範囲である。なお、前記キャピラリー流路の最大径とは、前記キャピラリー流路の断面形状が円でない場合には、断面積が最も大きい部分のその断面積に対応する面積の円の直径をいう。【００１７】
本発明の電気泳動チップにおいて、前記キャピラリー流路の内壁を、陽極性基含有化合物により被覆してもよい。前記陽極性基含有化合物としては、例えば、前記陽極性基および反応基を含む化合物である。前記陽極性基としては、アミノ基、アンモニウム基が好ましい。前記陽極性基含有化合物として好ましいのは、アミノ基およびアンモニウム基の少なくとも一方を有するシリル化剤である。前記アミノ基は、一級、二級、三級のいずれであってもよい。【００１８】
前記シリル化剤としては、Ｎ−（２−ジアミノエチル）−３−プロピルトリメトキシシラン、アミノフェノキシジメチルビニルシラン、３−アミノプロピルジイソプロピルエトキシシラン、３−アミノプロピルメチルビス（トリメチルシロキシ）シラン、３−アミノプロピルペンタメチルジシロキサン、３−アミノプロピルシラントリオール、ビス（Ｐ−アミノフェノキシ）ジメチルシラン、１，３−ビス（３−アミノプロピル）テトラメチルジシロキサン、ビス（ジメチルアミノ）ジメチルシラン、ビス（ジメチルアミノ）ビニルメチルシラン、ビス（２−ヒドロキシエチル）−３−アミノプロピルトリエトキシシラン、３−シアノプロピル（ジイソプロピル）ジメチルアミノシラン、（アミノエチルアミノメチル）フェネチルトリメトキシシラン、Ｎ−メチルアミノプロピルトリエトキシシラン、テトラキス（ジエチルアミノ）シラン、トリス（ジメチルアミノ）クロロシラン、トリス（ジメチルアミノ）シラン等があげられる。【００１９】
前記シリル化剤において、ケイ素原子をチタン若しくはジルコニウムに置換したものを用いてもよい。前記シリル化剤は、一種類を単独で使用してもよいし、二種類以上を併用してもよい。【００２０】
前記シリル化剤を用いた前記キャピラリー流路の内壁の被覆は、例えば、つぎのようにして実施する。まず、シリル化剤を有機溶媒に溶解若しくは分散させて処理液を調製する。前記処理液の調製に使用する前記有機溶媒としては、例えば、ジクロロメタン、トルエン等が使用できる。前記処理液のシリル化剤の濃度は、特に制限されない。この処理液を、前記キャピラリー流路に通液し、加熱する。この加熱によって、前記シリル化剤が前記キャピラリー流路の内壁に共有結合で結合し、その結果、陽極性基が前記キャピラリー流路の内壁に配置されることになる。その後、有機溶媒（ジクロロメタン、メタノール、アセトン等）、酸性溶液（リン酸等）、アルカリ性溶液および界面活性剤溶液の少なくとも一つで洗浄（後処理）する。なお、この洗浄は任意であるが、実施することが好ましい。また、後述のように、前記基板とは別の部材であるキャピラリー管が、前記キャピラリー流路となる場合には、市販の前記シリル化剤を用いて内壁が前記陽極性基含有化合物により被覆されたキャピラリー管を用いてもよい。【００２１】
前記陽極性基含有化合物により被覆された前記キャピラリー流路の内壁には、さらに、陰極性基含有化合物から形成された陰極性層が積層されていることが好ましい。これにより、後述の試料中のヘモグロビン等が、前記キャピラリー流路の内壁に吸着するのを防止できる。また、前記試料と前記陰極性基含有化合物とが複合体を形成し、これが電気泳動するため、試料単独で電気泳動するよりも分離効率が高くなる。これらの結果、より短時間で、より高精度に糖化ヘモグロビン等の分析を実施できる。前記試料と複合体を形成する前記陰極性基含有化合物としては、陰極性基含有多糖類が好ましい。前記陰極性基含有多糖類としては、例えば、硫酸化多糖類、カルボン酸化多糖類、スルホン酸化多糖類およびリン酸化多糖類があり、このなかで、硫酸化多糖類およびカルボン酸化多糖類が好ましい。前記硫酸化多糖類としては、コンドロイチン硫酸、ヘパリン等が好ましく、より好ましくは、コンドロイチン硫酸である。前記カルボン酸化多糖類としては、アルギン酸またはその塩（例えば、アルギン酸ナトリウム）が好ましい。コンドロイチン硫酸は、Ａ、Ｂ、Ｃ、Ｄ、Ｅ、Ｈ、Ｋの七種類があり、いずれを用いてもよい。前記陰極性層は、例えば、前記陰極性基含有化合物を含む液を前記陽極性基含有化合物により被覆された前記キャピラリー流路の内壁に接触させることにより、形成することができる。この場合、陰極性層を形成するための液を別途調製してもよいが、操作効率の面から、陰極性基含有化合物を含む電気泳動液を調製し、これを、内壁が前記陽極性基含有化合物により被覆された前記キャピラリー流路に通液することが好ましい。【００２２】
前記電気泳動液は、特に制限されないが、有機酸を用いた電気泳動液が好ましい。前記有機酸は、例えば、マレイン酸、酒石酸、コハク酸、フマル酸、フタル酸、マロン酸、リンゴ酸等がある。また、前記電気泳動液は、弱塩基を含むことが好ましい。前記弱塩基としては、例えば、アルギニン、リジン、ヒスチジン、トリス等がある。前記電気泳動液のｐＨは、例えば、ｐＨ４．５〜６の範囲である。前記電気泳動液において、前記陰極性基含有化合物の濃度は、例えば、０．００１〜１０重量％の範囲である。【００２３】
本発明の電気泳動チップは、さらに、前記糖化ヘモグロビンを含む試料を溶血させ、且つ希釈するための前処理槽を含み、前記前処理槽と前記複数の液槽の少なくとも一つの槽とが連通されていてもよい。前記前処理槽は、前記第１の導入槽および前記第２の導入槽の少なくとも一方の槽と連通されていることが好ましく、いずれか一方の槽のみと連通されていることがより好ましい。【００２４】
本発明の電気泳動チップにより分析される前記糖化ヘモグロビンは、特に制限されないが、例えば、ＨｂＡ１ｃ、不安定型ＨｂＡ１ｃ、ＧＨｂＬｙｓ等が挙げられ、ＨｂＡ１ｃが特に好ましい。【００２５】
本発明の電気泳動チップにおいて、前記基板が、上基板と下基板とを含み、
前記上基板には、複数の貫通孔が形成されており、
前記下基板上には、溝が形成されており、
前記下基板上に前記上基板が積層され、
前記上基板に形成された複数の貫通孔の底部が、前記下基板で封止されることで形成される空間が前記複数の液槽となり、
前記下基板上に形成された溝の上部が、前記上基板で封止されることで形成される空間が前記キャピラリー流路となっていてもよい。【００２６】
本発明の電気泳動チップにおいて、前記基板上に複数の凹部および溝が形成され、
前記基板表面が、前記複数の凹部に対応した位置に穴のあいたシール材でシールされ、
前記基板上に形成された複数の凹部が、前記複数の液槽となり、
前記基板上に形成された溝の上部が、前記シール材で封止されることで形成される空間が前記キャピラリー流路となっていてもよい。【００２７】
本発明の電気泳動チップにおいて、さらに、シール材を含み、
前記基板には、複数の貫通孔が形成されており、
前記基板の底面には、溝が形成され、
前記基板の底面が、前記シール材でシールされ、
前記基板に形成された複数の貫通孔の底部が、前記シール材で封止されることで形成される空間が前記複数の液槽となり、
前記基板の底面に形成された溝の下部が、前記シール材で封止されることで形成される空間が前記キャピラリー流路となっていてもよい。【００２８】
本発明の電気泳動チップにおいて、前記基板とは別の部材であるキャピラリー管で前記複数の液槽が連通され、前記キャピラリー管が前記キャピラリー流路となってもよい。【００２９】
本発明の電気泳動チップにおいて、前記複数の液槽の容積は、特に制限されないが、例えば、それぞれ、１〜１０００ｍｍ３の範囲であり、好ましくは、５０〜１００ｍｍ３の範囲である。【００３０】
本発明の電気泳動チップにおいて、さらに、複数の電極を有し、
前記複数の電極は、それぞれ、その一端が前記複数の液槽内に位置するように配置されていてもよい。【００３１】
つぎに、本発明の電気泳動チップについて例を挙げて説明する。ただし、本発明は、下記の例に制限されるものではない。【００３２】
（実施態様１）
図１に、本発明の電気泳動チップの一例を示す。図１（Ａ）は、この例の電気泳動チップの平面図であり、図１（Ｂ）は、図１（Ａ）のＩ−Ｉにおける断面図であり、図１（Ｃ）は、図１（Ａ）のＩＩ−ＩＩにおける断面図である。また、同図において、分かりやすくするために、各構成要素の大きさや比率等は、実際と異なっている。図示のように、この電気泳動チップは、下基板１上に上基板４が積層されて、構成されている。前記上基板４には、複数（この例では４つ）の貫通孔が形成されている。前記上基板４に形成された４つの貫通孔の底部が、前記下基板１で封止されることで、４つの液槽２ａ〜ｄが形成されている。前記下基板１上には、十字状の溝が形成されている。前記下基板１上に形成された十字状の溝の上部が、前記上基板４で封止されることで、試料分析用のキャピラリー流路３ｘと試料導入用のキャピラリー流路３ｙとが形成されている。前記４つの液槽２ａ〜ｄは、第１の導入槽２ａ、第１の回収槽２ｂ、第２の導入槽２ｃおよび第２の回収槽２ｄを含む。前記第１の導入槽２ａと前記第１の回収槽２ｂとは、前記試料分析用のキャピラリー流路３ｘで連通されている。前記第１の導入槽２ｃと前記第２の回収槽２ｄとは、前記試料導入用のキャピラリー流路３ｙで連通されている。前記試料分析用のキャピラリー流路３ｘと前記試料導入用のキャピラリー流路３ｙとは、交差している。前記試料分析用のキャピラリー流路３ｘと前記試料導入用のキャピラリー流路３ｙとは、前記交差部分で連通されている。なお、この例の電気泳動チップは、直方体状である。ただし、本発明は、これに限定されない。本発明の電気泳動チップは、電気泳動測定に支障をきたさなければ、いかなる形状であってもよい。また、この例の電気泳動チップの平面形状は、長方形である。ただし、本発明は、これに限定されない。本発明の電気泳動チップの平面形状は、例えば、正方形やその他の形状であってもよい。そして、この例の電気泳動チップでは、前記試料分析用のキャピラリー流路３ｘと前記試料導入用のキャピラリー流路３ｙの最大長さは、異なっている。ただし、本発明は、これに限定されない。本発明の電気泳動チップにおいて、前記試料分析用のキャピラリー流路３ｘと前記試料導入用のキャピラリー流路３ｙの最大長さは、同じであってもよい。さらに、この例の電気泳動チップは、２本のキャピラリー流路（３ｘ、３ｙ）を含む。ただし、本発明の電気泳動チップは、これに限定されない。本発明の電気泳動チップは、例えば、前記試料分析用のキャピラリー流路３ｘのみを含んでもよい。この場合には、前記下基板１上に、前記第１の導入槽２ａおよび前記第１の回収槽２ｂのみが形成され、前記第１の導入槽２ａと前記第１の回収槽２ｂとが、前記試料分析用のキャピラリー流路３ｘで連通される。さらに、この例の電気泳動チップは、２枚の基板（上基板４および下基板１）を含む。ただし、本発明の電気泳動チップは、これに限定されない。本発明の電気泳動チップは、例えば、後述のように、１枚の基板で構成されてもよい。【００３３】
つぎに、この例の電気泳動チップの製造方法について説明する。ただし、前記電気泳動チップは、下記の製造方法以外の方法で製造されてもよい。【００３４】
この例の電気泳動チップにおいては、前記下基板１として、例えば、ガラス、ポリマー材料等から形成されたものが使用できる。前記ガラス材料としては、例えば、合成石英ガラス、ホウケイ酸ガラス等が挙げられる。前記ポリマー材料としては、例えば、ポリメチルメタクリレート（ＰＭＭＡ）、シクロオレフィンポリマー（ＣＯＰ）、ポリカーボネート（ＰＣ）、ポリジメチルシロキサン（ＰＤＭＳ）、ポリスチレン（ＰＳ）、ポリ乳酸等が挙げられる。【００３５】
この例の電気泳動チップにおいては、前記下基板１の長さおよび幅が、前記チップ全体の最大長さおよび最大幅となる。したがって、前記下基板１の長さおよび幅は、前記チップ全体の最大長さおよび最大幅と同様にすればよい。この例の電気泳動チップにおける前記下基板１の厚みは、例えば、０．１〜３ｍｍの範囲であり、好ましくは、０．１〜１ｍｍの範囲である。【００３６】
前記上基板４の材質は、後述の吸光度測定に支障のないものであれば、特に制限されない。前記上基板４としては、例えば、前記下基板１と同様の材質から形成されたものが使用できる。【００３７】
前記上基板４の長さおよび幅は、前記下基板１の長さおよび幅と同様である。前記上基板４の厚みは、前記複数の液槽２ａ〜ｄの容積等に応じて適宜に決定されるが、例えば、０．１〜３ｍｍの範囲であり、好ましくは、１〜２ｍｍの範囲である。【００３８】
前記十字状の溝（前記試料分析用のキャピラリー流路３ｘおよび前記試料導入用のキャピラリー流路３ｙ）の幅および深さは、前記キャピラリー流路の最大径から適宜決定されるが、例えば、その幅が、２５〜２００μｍの範囲、その深さが、２５〜２００μｍの範囲であり、好ましくは、その幅が、４０〜１００μｍの範囲であり、その深さが、４０〜１００μｍの範囲である。前記試料分析用のキャピラリー流路３ｘおよび前記試料導入用のキャピラリー流路３ｙの最大長さは、前述のとおりである。【００３９】
前記複数の液槽２ａ〜ｄの容積は、前述のとおりである。図１においては、前記複数の液槽２ａ〜ｄの形状は、円柱状である。ただし、本発明の電気泳動チップは、この例に限定されない。本発明の電気泳動チップにおいて、前記複数の液槽の形状は、後述の試料の導入および回収に支障がないものであれば特に制限されず、例えば、四角柱状、四角錐状、円錐状、これらを組み合わせた形状等、任意の形状とすることができる。また、前記複数の液槽の容積および形状は、全て同じであってもよいし、それぞれ異なってもよい。【００４０】
この例の電気泳動チップにおいて、前記チップ全体の最大厚みは、前記下基板１および前記上基板４の厚みの合計となる。前記チップ全体の最大厚みは、前述のとおりである。【００４１】
例えば、前記下基板１の材質が前記ガラスである場合には、前記電気泳動チップは、例えば、つぎのようにして製造することができる。【００４２】
まず、図２（Ａ）に示すように、ガラス板２０表面を、クロムと金との合金２１によりマスクする。その後、前記合金２１の表面を、フォトレジスト２２によりコーティングする。【００４３】
つぎに、図２（Ｂ）に示すように、前記フォトレジスト２２表面に、前記試料分析用のキャピラリー流路３ｘおよび前記試料導入用のキャピラリー流路３ｙのレイアウトパターンをデザインした感光フィルムを密着させ、フォトマスク２３を作製する。ついで、前記フォトマスク２３の上から紫外線２４を照射することで露光する。【００４４】
前記露光により、図２（Ｃ）に示すように、露光部分の前記フォトレジスト２２を可溶化させて、前記レイアウトパターンを、前記合金２１上に形成（転写）する。【００４５】
つぎに、図２（Ｄ）に示すように、露出した前記合金２１を王水で除去する。【００４６】
つぎに、図２（Ｅ）に示すように、前記ガラス板２０上にフッ化水素で前記レイアウトパターンをエッチングする。【００４７】
つぎに、図２（Ｆ）に示すように、前記フォトレジスト２２および前記合金２１を除去することで、前記下基板１を得る。【００４８】
つぎに、前記上基板４を作製する（図示せず）。前記上基板４への前記４つの貫通孔の形成方法は、特に制限されない。例えば、前記上基板４の材質が前記ガラスの場合、前記形成方法としては、例えば、超音波加工等が挙げられる。例えば、前記上基板４の材質が前記ポリマー材料の場合、前記形成方法としては、例えば、金型を用いた射出成型、注入成型、プレス成型等の成型法や切削加工法等が挙げられる。前記４つの貫通孔は、それぞれ別個に形成してもよいし、全てを同時に形成してもよい。前記４つの貫通孔を別個に形成する場合には、どの順序で形成してもよい。前記金型を用いた方法等により、前記４つの貫通孔の全てを同時に形成することが、工程が少なくてすみ、好ましい。【００４９】
最後に、前記下基板１と前記上基板４とを積層することで、この例の電気泳動チップを製造することができる。なお、前記下基板１と前記上基板４との積層方法は、特に制限されないが、例えば、加熱による溶着が好ましい。また、図２においては、図１（Ｃ）に示した断面における製造工程を示したが、図１（Ｂ）に示した断面においても、同様の製造工程をたどることとなる。【００５０】
例えば、前記下基板１の材質が前記ポリマー材料である場合には、前記電気泳動チップは、例えば、つぎのようにして製造することができる。【００５１】
まず、図３（Ａ）に示すように、シリコン板３１表面を、フォトレジスト３２によりコーティングする。【００５２】
つぎに、図３（Ｂ）に示すように、前記フォトレジスト３２表面に、前記試料分析用のキャピラリー流路３ｘおよび前記試料導入用のキャピラリー流路３ｙのレイアウトパターンをデザインした感光フィルムを密着させ、フォトマスク３３を作成する。ついで、前記フォトマスク３３の上から紫外線３４を照射することで露光する。【００５３】
前記露光により、図３（Ｃ）に示すように、露光部分の前記フォトレジスト３２を可溶化させて、前記レイアウトパターンを、前記シリコン板３１上に形成（転写）する。【００５４】
つぎに、図３（Ｄ）に示すように、前記シリコン板３１上に前記レイアウトパターンをエッチングし、元型３５を作製する。前記エッチングとしては、例えば、ドライエッチング、異方性エッチング等が挙げられる。前記エッチングは、前記試料分析用のキャピラリー流路３ｘおよび前記試料導入用のキャピラリー流路３ｙの寸法精度や表面平滑性の観点から、ドライエッチングであることが好ましい。【００５５】
つぎに、図３（Ｅ）に示すように、前記元型３５に対し金属ニッケル電鋳を行い、射出成型用金型３６を作製する。【００５６】
つぎに、図３（Ｆ）に示すように、前記射出成型用金型３６を用いて、前記ポリマー材料からなる下基板１を射出成型により作製する。【００５７】
つぎに、前記上基板４を作製する（図示せず）。前記上基板４の作製方法は、前記下基板１の材質が前記ガラスの場合と同様である。【００５８】
最後に、前記下基板１と前記上基板４とを、積層することで、この例の電気泳動チップを製造することができる。前記下基板１と前記上基板４との積層方法は、前記下基板１の材質が前記ガラスの場合と同様である。なお、図３においては、図１（Ｃ）に示した断面における製造工程を示したが、図１（Ｂ）に示した断面においても、同様の製造工程をたどることとなる。【００５９】
前述のとおり、本発明の電気泳動チップは、さらに、複数の電極を有してもよい。図４に、前記複数の電極を有するこの例の電気泳動チップを示す。同図において、図１と同一部分には、同一符号を付している。図示のように、この電気泳動チップは、４本の電極６ａ〜ｄを有する。前記４本の電極６ａ〜ｄは、それぞれ、その一端が前記複数の液槽２ａ〜ｄ内に位置するように配置されている。前記４本の電極６ａ〜ｄは、前記上基板４に埋め込まれている。前記４本の電極６ａ〜ｄは、例えば、前記上基板４の製造時に、前記４本の電極６ａ〜ｄの導入孔を前記上基板４側面に形成しておくことで、容易に配置することができる。なお、本発明の電気泳動チップにおいて、前記複数の電極は、任意の構成部材である。前記複数の電極は、例えば、前記電気泳動チップの使用時に、前記複数の液槽内に挿入してもよい。【００６０】
前記複数の電極６ａ〜ｄは、電気泳動法に使用可能なものであればどのようなものでもよい。前記複数の電極６ａ〜ｄは、例えば、それぞれ、ステンレス鋼（ＳＵＳ）製電極、白金（Ｐｔ）電極、金（Ａｕ）等である。【００６１】
本発明の電気泳動チップは、さらに、前記糖化ヘモグロビンを含む試料を溶血させ、且つ希釈するための前処理槽を含んでいてもよい。前記試料の溶血処理は、特に制限されないが、例えば、前記試料を溶血剤で溶血させる処理であってもよい。前記溶血剤は、例えば、後述の試料中の血球成分の血球膜を破壊する。前記溶血剤としては、例えば、前記電気泳動液、サポニン、ナカライテスク（株）製の商品名「Ｔｒｉｔｏｎ  Ｘ−１００」等が挙げられ、特に好ましくは、前記電気泳動液である。前記前処理槽は、例えば、前記導入槽と連通されていることが好ましい。前記前処理槽は、それが連通される前記液槽、例えば、前記第２の導入槽２ｃの近くなど、適当な場所に形成すればよい。前記前処理槽がある場合には、後述の試料は、前記前処理槽に導入される。これにより前処理された前記試料は、前記前処理槽とそれが連通される前記液槽、例えば、前記第２の導入槽２ｃとを結ぶ流路により、前記第２の導入槽２ｃへと導入される。前記前処理槽は、前記試料を溶血させるための槽と前記試料を希釈するための槽との２つの槽が連通された構成であってもよい。【００６２】
図５に、この例の電気泳動チップを含む電気泳動装置の一例を示す。同図において、図１および図４と同一部分には、同一符号を付している。図示のように、この電気泳動装置は、分析部７を含む。この例の電気泳動装置においては、前記分析部７が、検出器（ライン検出器）である。前記ライン検出器は、前記試料分析用のキャピラリー流路３ｘと前記試料導入用のキャピラリー流路３ｙとの交差部分より前記第１の回収槽２ｂ側の前記試料分析用のキャピラリー流路３ｘ上部に位置するように、前記上基板４上に配置されている。前記ライン検出器は、光源および検出部を内蔵する。前記ライン検出器は、前記光源から試料に向けて光を発し、試料からの反射光を前記検出部で検出することで、吸光度を測定する。前記分析部７は、前記ライン検出器に限定されず、糖化ヘモグロビンの分析を行えるものであれば、いかなるものであってもよい。例えば、前記分析部７は、前記電気泳動チップの下方に配置された光源と、前記ライン検出器の配置箇所に対応する位置に配置された検出部とで構成されていてもよい。この場合には、前記光源から試料に向けて光を発し、試料からの透過光を前記検出部で検出することで、吸光度を測定する。【００６３】
図６に、この例の電気泳動チップを含む電気泳動装置のその他の例を示す。同図において、図５と同一部分には、同一符号を付している。図示のとおり、この例の電気泳動装置は、分析部７が異なること以外、図５に示した電気泳動装置と同様の構成である。この例のように、前記分析部７は、１点で吸光度を測定するものであってもよい。【００６４】
つぎに、図５および６に示した電気泳動装置を使用した場合を例に、本発明における糖化ヘモグロビンの分析方法について説明する。【００６５】
まず、前記試料分析用のキャピラリー流路３ｘおよび前記試料導入用のキャピラリー流路３ｙに、電気泳動液を、圧力または毛細管作用によって充填する。前記電気泳動液は、前述のとおりである。【００６６】
なお、電気泳動装置非使用時（非分析時）において、前記キャピラリー流路にあらかじめ電気泳動液が充填されていれば、前述の電気泳動液充填工程を省略し、ただちに以下の工程に移ることが可能であるため好ましい。【００６７】
つぎに、前記第２の導入槽２ｃに分析対象となる試料（糖化ヘモグロビンを含む試料）を導入する。このとき、前記試料：電気泳動液（体積比）が、１：４〜１：９９の範囲となるように希釈された希釈試料が導入されることが好ましい。すなわち、本発明の電気泳動装置（電気泳動チップ）を用いた糖化ヘモグロビンの分析方法において、前記複数の液槽の少なくとも一つの槽に、前記糖化ヘモグロビンを含む試料を電気泳動液で希釈した希釈試料を導入し、前記試料：電気泳動液（体積比）が、１：４〜１：９９の範囲であることが好ましい。ただし、前記体積比は、これに限定されない。電気泳動チップが、前記前処理槽（図示せず）を有する場合には、前記試料を、前記前処理槽に導入し、そこで前処理する。ついで、前記電極６ｃおよび前記電極６ｄに電圧を印加して、前記試料導入用のキャピラリー流路３ｙの両端に電位差を生じさせる。これにより、前記試料分析用のキャピラリー流路３ｘと前記試料導入用のキャピラリー流路３ｙとの交差部分まで前記試料を移動させる。前記試料としては、ヘモグロビン（Ｈｂ）を含むものであればいかなるものであってもよく、例えば、全血、全血を溶血処理した溶血試料等が挙げられる。前記溶血処理としては、例えば、超音波処理、凍結解凍処理、加圧処理、浸透圧処理、界面活性剤処理等が挙げられる。前記溶血処理は、例えば、前記前処理槽で行ってもよい。また、別の装置等によりあらかじめ溶血処理を行った試料を、電気泳動装置（電気泳動チップ）に導入してもよい。前記試料は、例えば、水、生理食塩水、電気泳動液等により、適宜希釈されたものであってもよい。前記希釈は、例えば、前記前処理槽で行ってもよい。また、別の装置等によりあらかじめ希釈処理を行った希釈試料を、電気泳動装置（電気泳動チップ）に導入してもよい。【００６８】
前記電極６ｃと前記電極６ｄとの間の電位差は、例えば、０．５〜５ｋＶの範囲である。【００６９】
つぎに、前記電極６ａおよび前記電極６ｂに電圧を印加して、前記試料分析用のキャピラリー流路３ｘの両端に電位差を生じさせる。このように、両端に電位差があるキャピラリー流路を、前記試料導入用のキャピラリー流路３ｙから前記試料分析用のキャピラリー流路３ｘに瞬間的に切り替えることにより、図５および６に矢印で示すように、前記試料８を、前記試料分析用のキャピラリー流路３ｘと前記試料導入用のキャピラリー流路３ｙとの交差部分から、前記第１の回収槽２ｂ側に移動させる。【００７０】
前記電極６ａと前記電極６ｂとの間の電位差は、例えば、０．５〜５ｋＶの範囲である。【００７１】
つぎに、前記検出器７により、移動速度の差により分離された前記試料中の各成分を検出する。これにより、前記試料中の各成分の分析（分離測定）が可能である。本発明によれば、ヘモグロビン（Ｈｂ）を含む試料中の糖化ヘモグロビンと他の成分とを、高精度で分析（分離測定）可能である。【００７２】
（実施態様２）
図７に、本発明の電気泳動チップのその他の例を示す。同図において、図１と同一部分には、同一符号を付している。この例の電気泳動チップでは、基板（下基板）１上に、複数（この例では４つ）の凹部および十字状の溝が形成されている。前記基板（下基板）１の表面は、前記４つの凹部に対応した位置に穴のあいたシール材（上基板）４でシールされている。前記基板（下基板）１上に形成された４つの凹部は、４つの液槽２ａ〜ｄとなっている。前記基板（下基板）１上に形成された十字状に溝の上部が、前記シール材（上基板）４で封止されることで、試料分析用のキャピラリー流路３ｘと試料導入用のキャピラリー流路３ｙとが形成されている。これらを除き、この例の電気泳動チップは、図１に示した電気泳動チップと同様の構成である。【００７３】
この例の電気泳動チップは、例えば、つぎのようにして製造することができる。ただし、前記電気泳動チップは、下記の製造方法以外の方法で製造されてもよい。【００７４】
前記基板（下基板）１としては、例えば、図１に示した電気泳動チップの下基板１と同様の材質から形成されたものが使用できる。【００７５】
この例の電気泳動チップにおいては、前記基板（下基板）１の長さおよび幅が、前記チップ全体の最大長さおよび最大幅となる。したがって、前記基板（下基板）１の長さおよび幅は、前記チップ全体の最大長さおよび最大幅と同様とすればよい。この例の電気泳動チップにおける前記基板（下基板）１の厚みは、例えば、０．１〜３ｍｍの範囲であり、好ましくは、１〜２ｍｍの範囲である。【００７６】
前記シール材（上基板）４の材質も、特に制限されず、例えば、図１に示した電気泳動チップの下基板１と同様の材質から形成されたものが使用できる。【００７７】
前記シール材（上基板）４の長さおよび幅は、前記基板（下基板）１の長さおよび幅と同様である。前記シール材（上基板）４の厚みは、例えば、５０〜１０００μｍの範囲であり、好ましくは、１００〜３００μｍの範囲である。【００７８】
前記シール材（上基板）４としては、例えば、前記４つの凹部（前記４つの液槽２ａ〜ｄ）に対応する位置に穴をあけた市販のシール材を用いてもよい。【００７９】
この例の電気泳動チップにおいて、前記チップ全体の最大厚みは、前記基板（下基板）１および前記シール材（上基板）４の厚みの合計となる。前記チップ全体の最大厚みは、前述のとおりである。【００８０】
この例の電気泳動チップの製造工程の一例を、下記に示す。ただし、前記電気泳動チップは、下記の製造工程以外の工程で製造されてもよい。【００８１】
まず、前記基板（下基板）１を作製する。前記基板（下基板）１への前記試料分析用のキャピラリー流路３ｘおよび前記試料導入用のキャピラリー流路３ｙの形成方法は、特に制限されず、例えば、前記実施態様１と同様にして形成すればよい。前記基板（下基板）１への前記４つの液槽２ａ〜ｄの形成方法も、特に制限されない。例えば、前記基板（下基板）１の材質が前記ガラスの場合、前記形成方法としては、例えば、超音波加工等が挙げられる。例えば、前記基板（下基板）１の材質が前記ポリマー材料の場合、前記形成方法としては、例えば、金型を用いた射出成型、注入成型、プレス成型等の成型法や切削加工法等が挙げられる。前記４つの液槽２ａ〜ｄは、それぞれ別個に形成してもよいし、全てを同時に形成してもよい。前記４つの液槽２ａ〜ｄを別個に形成する場合には、どの順序で形成してもよい。前記金型を用いた方法等により、前記４つの液槽２ａ〜ｄの全てを同時に形成することが、工程が少なくてすみ、好ましい。【００８２】
つぎに、前記４つの凹部（前記４つの液槽２ａ〜ｄ）に対応する位置に穴をあけたシール材（上基板）４で前記基板（下基板）１の表面をシールすることで、この例の電気泳動チップを作製できる。【００８３】
この例の電気泳動チップの構成は、図７の構成に限定されない。例えば、図４等と同様に、複数の電極を有していてもよいし、前述の前処理槽等を適宜有していてもよい。この例の電気泳動チップを用いた電気泳動装置の構成も、特に限定されず、例えば、図５または６の電気泳動装置と同様の検出器を有していてもよい。さらに、前記電気泳動装置を使用した糖化ヘモグロビンの分析方法も、特に限定されず、例えば、図５または６に示した電気泳動装置を使用した場合と同様の方法で実施できる。【００８４】
（実施態様３）
図８に、本発明の電気泳動チップのさらにその他の例を示す。同図において、図１と同一部分には、同一符号を付している。この例の電気泳動チップでは、基板（上基板）４に、複数（この例では４つ）の貫通孔が形成されている。前記基板（上基板）４の底面には、十字状の溝が形成されている。前記基板（上基板）４の底面は、シール材（下基板）１でシールされている。前記基板（上基板）４に形成された４つの貫通孔の底部が、前記シール材（下基板）１で封止されることで、４つの液槽２ａ〜ｄが形成されている。前記基板（上基板）に形成された十字状の溝の下部が、前記シール材で封止されることで、試料分析用のキャピラリー流路３ｘおよび試料導入用のキャピラリー流路３ｙが形成されている。これらを除き、この例の電気泳動チップは、図１に示した電気泳動チップと同様の構成である。【００８５】
この例の電気泳動チップは、例えば、つぎのようにして製造することができる。ただし、前記電気泳動チップは、下記の製造方法以外の方法で製造されてもよい。【００８６】
前記基板（上基板）４としては、例えば、図１に示した電気泳動チップの下基板１と同様の材質から形成されたものが使用できる。【００８７】
この例の電気泳動チップにおいては、前記基板（上基板）４の長さおよび幅が、前記チップ全体の最大長さおよび最大幅となる。したがって、前記基板（上基板）４の長さおよび幅は、前記チップ全体の最大長さおよび最大幅と同様とすればよい。この例の電気泳動チップにおける前記基板（上基板）４の厚みは、例えば、０．１〜３ｍｍの範囲であり、好ましくは、１〜２ｍｍの範囲である。【００８８】
前記シール材（下基板）１の材質も、特に制限されず、例えば、図１に示した電気泳動チップの下基板１と同様の材質から形成されたものが使用できる。【００８９】
前記シール材（下基板）１の長さおよび幅は、前記基板（上基板）４の長さおよび幅と同様である。前記シール材（上基板）４の厚みは、例えば、５０〜１０００μｍの範囲であり、好ましくは、１００〜３００μｍの範囲である。【００９０】
前記シール材（下基板）１としては、例えば、市販のシール材を用いてもよい。【００９１】
この例の電気泳動チップにおいて、前記チップ全体の最大厚みは、前記基板（上基板）４および前記シール材（下基板）１の厚みの合計となる。前記チップ全体の最大厚みは、前述のとおりである。【００９２】
この例の電気泳動チップの製造工程の一例を、下記に示す。ただし、前記電気泳動チップは、下記の製造工程以外の工程で製造されてもよい。【００９３】
まず、前記基板（上基板）４を作製する。前記基板（上基板）４への前記試料分析用のキャピラリー流路３ｘおよび前記試料導入用のキャピラリー流路３ｙの形成方法は、特に制限されず、例えば、前記実施態様１と同様にして形成すればよい。前記基板（上基板）４への前記４つの貫通孔の形成方法も、特に制限されず、例えば、前記実施態様１と同様にして形成すればよい。【００９４】
つぎに、シール材（下基板）１で前記基板（上基板）４の底面をシールすることで、この例の電気泳動チップを作製できる。【００９５】
この例の電気泳動チップの構成は、図８の構成に限定されない。例えば、図４等と同様に、複数の電極を有していてもよいし、前述の前処理槽等を適宜有していてもよい。この例の電気泳動チップを用いた電気泳動装置の構成も、特に限定されず、例えば、図５または６の電気泳動装置と同様の検出器を有していてもよい。さらに、前記電気泳動装置を使用した糖化ヘモグロビンの分析方法も、特に限定されず、例えば、図５または６に示した電気泳動装置を使用した場合と同様の方法で実施できる。【００９６】
（実施態様４）
図９に、本発明の電気泳動チップのさらにその他の例を示す。同図において、図１と同一部分には、同一符号を付している。この例の電気泳動チップでは、基板が１枚のみであり、前記基板とは別の部材であるキャピラリー管で前記複数の液槽が連通されている。前記キャピラリー管は、４本のキャピラリー管３ｘ１、３ｘ２、３ｙ１および３ｙ２から構成されている。前記４本のキャピラリー管は、そのそれぞれの一端が、中心部ｃで集合し、連結している。この結果、前記４本のキャピラリー管は、その内部が連通されている。前記基板１には、前記４本のキャピラリー管をはめ込むための空洞が設けられている（図示せず）。前記キャピラリー管３ｘ１は、その他端が、前記第１の導入槽２ａの底面に位置するように、前記基板１中にはめ込まれている。前記キャピラリー管３ｘ２は、その他端が、前記第１の回収槽２ｂの底面に位置するように、前記基板１中にはめ込まれている。前記キャピラリー管３ｘ１および３ｘ２は、前記試料分析用のキャピラリー流路３ｘとなっている。前記キャピラリー管３ｙ１は、その他端が、前記第２の導入槽２ｃの底面に位置するように、前記基板１中にはめ込まれている。前記キャピラリー管３ｙ２は、その他端が、前記第２の回収槽２ｄの底面に位置するように、前記基板１中にはめ込まれている。前記キャピラリー管３ｙ１および３ｙ２は、前記試料導入用のキャピラリー流路３ｙとなっている。前記複数の液槽２ａ〜ｄは、それぞれ、前記基板１上に凹部として形成されている。前記基板１は、前記試料導入用のキャピラリー流路３ｙより第１の回収槽２ｂ側に直方体状の開口部（窓）９を有する。これらを除き、この例の電気泳動チップは、図１に示した電気泳動チップと同様の構成である。【００９７】
この例の電気泳動チップは、例えば、つぎのようにして製造することができる。ただし、前記電気泳動チップは、下記の製造方法以外の方法で製造されてもよい。【００９８】
前記基板１としては、例えば、図１に示した電気泳動チップの下基板１と同様の材質から形成されたものが使用できる。【００９９】
この例の電気泳動チップにおいては、前記基板１の長さ、幅および厚みが、前記チップ全体の最大長さ、最大幅および最大厚みとなる。したがって、前記基板１の長さ、幅および厚みは、前記チップ全体の最大長さ、最大幅および最大厚みと同様とすればよい。【０１００】
前記４本のキャピラリー管の内径は、それぞれ、前記キャピラリー流路の最大径のとおりである。前記４本のキャピラリー管の長さは、それぞれ、前記試料分析用のキャピラリー流路３ｘおよび前記試料導入用のキャピラリー流路３ｙの最大長さに従って決定される。【０１０１】
この例の電気泳動チップの製造工程の一例を、下記に示す。ただし、前記電気泳動チップは、下記の製造工程以外の工程で製造されてもよい。【０１０２】
まず、前記基板１を作製する。前記基板１への前記４つの液槽２ａ〜ｄおよび前記開口部（窓）９の形成方法は、特に制限されず、例えば、図７に示した電気泳動チップの４つの液槽２ａ〜ｄと同様の方法で形成できる。前記４つの液槽２ａ〜ｄおよび前記開口部（窓）９は、それぞれ別個に形成してもよいし、全てを同時に形成してもよい。前記４つの液槽２ａ〜ｄおよび前記開口部（窓）９を別個に形成する場合には、どの順序で形成してもよい。前記金型を用いた方法等により、前記４つの液槽２ａ〜ｄおよび前記開口部（窓）９の全てを同時に形成することが、工程が少なくてすみ、好ましい。【０１０３】
つぎに、前記４本のキャピラリー管を、前記基板１にはめ込む。このようにして、この例の電気泳動チップを得ることができる。【０１０４】
図１０に、複数の電極を有するこの例の電気泳動チップを示す。同図において、図４と同一部分には、同一符号を付している。図示のように、この電気泳動チップでは、４本の電極６ａ〜ｄが、前記基板１に埋め込まれている。これを除き、この例の電気泳動チップは、図４に示した電気泳動チップと同様の構成である。前記４本の電極６ａ〜ｄは、例えば、前記基板１の製造時に、前記４本の電極６ａ〜ｄの導入孔を前記基板１側面に形成しておくことで、容易に配置することができる。【０１０５】
図１１に、この例の電気泳動チップを含む電気泳動装置の一例を示す。同図において、図５と同一部分には、同一符号を付している。図示のように、この電気泳動装置では、分析部（ライン検出器）７が、前記キャピラリー管上に直接配置されている。また、この電気泳動装置では、基板１に、前記４本のキャピラリー管をはめ込むための空洞に加え、前記分析部（ライン検出器）７をはめ込むための空洞が設けられている（図示せず）。これらを除き、この例の電気泳動装置は、図５に示した電気泳動装置と同様の構成である。この例の電気泳動装置は、図１１の構成に限定されず、例えば、図６の電気泳動装置と同様の検出器を有していてもよい。この例の電気泳動装置を使用した糖化ヘモグロビンの分析も、図５または６に示した電気泳動装置を使用した場合と同様の方法で実施できる。【０１０６】
（実施態様５）
図１２に、本発明の電気泳動チップのさらにその他の例を示す。同図において、図１と同一部分には、同一符号を付している。同図は、この例の電気泳動チップの平面図である。図示のように、この電気泳動チップは、下基板１（図示せず）上に、十字状の溝に代えてダブルＴ字状の溝が形成され、これにより、試料分析用のキャピラリー流路３ｘと試料導入用のキャピラリー流路３ｙとが形成されている。すなわち、まず、試料分析用のキャピラリー流路３ｘは、直線状であり、第１の導入槽２ａと第１の回収槽２ｂとは、前記試料分析用のキャピラリー流路３ｘで連通されている。前記試料分析用のキャピラリー流路３ｘの一部からは、第１の分岐流路１１ｘが分岐されている。前記第１の分岐流路１１ｘは、第２の導入槽２ｃに連通されている。前記第１の分岐流路１１ｘより下流側（同図において右側）の前記試料分析用のキャピラリー流路３ｘの一部からは、第２の分岐流路１１ｙが分岐されている。前記第２の分岐流路１１ｙは、前記第２の回収槽２ｄに連通されている。前記第１の分岐流路１１ｘと、前記第２の分岐流路１１ｙと、それらを結ぶ前記試料分析用のキャピラリー流路３ｘの一部とで前記試料導入用のキャピラリー流路３ｙが形成されている。前記第１の分岐流路１１ｘおよび前記第２の分岐流路１１ｙは、前記試料分析用のキャピラリー流路３ｘと略直交しており、前記試料分析用のキャピラリー流路３ｘとともにダブルＴ字状の溝を形成している。これらを除き、この例の電気泳動チップは、図１に示した電気泳動チップと同様の構成である。【０１０７】
また、この例の電気泳動チップの構成は、図１２の構成に限定されない。例えば、図８と同様に１枚の基板のみから構成されていてもよい。また、図４および１０等と同様に、複数の電極を有していてもよいし、前述の前処理槽等を適宜有していてもよい。この例の電気泳動チップの製造方法も、特に限定されず、例えば、前記実施態様１〜４において説明した製造方法と同様でもよい。この例の電気泳動チップを用いた電気泳動装置の構成も特に限定されず、例えば、図５、６または１１の電気泳動装置と同様の検出器を有していてもよい。さらに、前記電気泳動装置を使用した糖化ヘモグロビンの分析方法も、特に限定されず、例えば、図５、６または１１に示した電気泳動装置を使用した場合と同様の方法で実施できる。
【実施例】
【０１０８】
図５に示した電気泳動装置を用いて、ＨｂＡ１ｃの分析を行った。すなわち、まず、試料分析用のキャピラリー流路３ｘおよび試料導入用のキャピラリー流路３ｙに、電気泳動液を、加圧によって充填した。前記電気泳動液としては、１００ｍＭのリンゴ酸にアルギニンを加えてｐＨ５．５に調製した溶液に０．５重量％の割合でコンドロイチンＣを添加したものを用いた。【０１０９】
つぎに、第２の導入槽２ｃに試料を導入した。前記試料としては、Ｈｂコントロールサンプルを用いた。ついで、電極６ｃに０．６０ｋＶの電圧を印加し、電極６ｄには電圧を印加しないことで、前記試料導入用のキャピラリー流路３ｙの両端に電位差を生じさせた。これにより、前記試料分析用のキャピラリー流路３ｘと前記試料導入用のキャピラリー流路３ｙとの交差部分まで前記試料を移動させた。この際、電極６ａおよび電極６ｂには、共に０．３０ｋＶの電圧を印加した。【０１１０】
つぎに、前記電極６ｃおよび前記電極６ｄに、共に０．４０ｋＶの電圧を印加すると共に、前記電極６ａに１．００ｋＶの電圧を印加し、前記電極６ｂには電圧を印加しないことで、前記試料分析用のキャピラリー流路３ｘの両端に電位差を生じさせた。これにより、前記試料８を、前記試料分析用のキャピラリー流路３ｘと前記試料導入用のキャピラリー流路３ｙとの交差部分から、前記第１の回収槽２ｂ側に移動させた。【０１１１】
つぎに、前記ライン検出器７により、前記試料分析用のキャピラリー流路３ｘと前記試料導入用のキャピラリー流路３ｙとの交差部分からの距離（泳動距離）と吸光度との関係を測定した。測定結果を、図１３のグラフに示す。図示のように、本実施例において、ＨｂＡ１ｃを、ＨｂＡ０等の試料中の他の成分と分離して検出することができた。分析所要時間（泳動時間）は、２０秒と極めて短時間であった。
【産業上の利用可能性】
【０１１２】
本発明の電気泳動チップは、装置の小型化および分析時間の短縮が可能で、且つ高精度で糖化ヘモグロビンの分析が可能なものである。本発明の電気泳動チップは、例えば、臨床検査、生化学検査、医学研究等の糖化ヘモグロビンを分析する全ての分野に適用することができ、その用途は限定されず、広い分野に適用可能である。
【図１】
2008139866.tif 000003
【図２】
2008139866.tif 000004
【図３】
2008139866.tif 000005
【図４】
2008139866.tif 000006
【図５】
2008139866.tif 000007
【図６】
2008139866.tif 000008
【図７】
2008139866.tif 000009
【図８】
2008139866.tif 000010
【図９】
2008139866.tif 000011
【図１０】
2008139866.tif 000012
【図１１】
2008139866.tif 000013
【図１２】
2008139866.tif 000014
【図１３】
2008139866.tif 000015
【国際調査報告】
2008139866.tif 000016
2008139866.tif 000017
2008139866.tif 000018
2008139866.tif 000019